(57)【特許請求の範囲】
【請求項１】
建物施工に際して該建物を覆う仮設の屋根であって、前記建物の上方を跨ぐ屋根フレームを所定間隔をおいて複数架設してそれら屋根フレームに屋根面を形成するシートを取り付けるとともに、いずれかの屋根フレームを他の屋根フレームに離接する方向に移動可能な移動フレームとして該移動フレームを移動させることで資材吊り込み用の開口部を屋根フレーム間に確保するとともに、該開口部を覆うシートを前記移動フレームの移動により開閉可能な開閉シートとし、
前記屋根面の下方にはトロリーをガイドレールにより支持して前記移動フレームの移動方向に走行させる構成の天井クレーンを設けて、前記移動フレームを該ガイドレールに移動可能に支持せしめるとともに前記トロリーを前記移動フレームに連結可能として、前記トロリーによって前記移動フレームを移動させることにより該トロリーを前記開口部を開閉するための駆動機構として機能せしめる構成としたことを特徴とする建物施工用の仮設屋根。
【請求項２】
前記移動フレームには前記開閉シートをランナーを介して畳み込み可能に吊り支持する支持レールを設け、該移動フレームを移動させて前記開口部を開いた際には前記ランナーが前記支持レールに案内されて移動して前記開閉シートが畳み込まれた状態で前記支持レールにより支持される構成としたことを特徴とする請求項１記載の建物施工用の仮設屋根。
【請求項３】
前記移動フレームを前記建物の外周部に設けた養生体に対して連結固定可能としたことを特徴とする請求項１または２記載の建物施工用の仮設屋根
【請求項４】
前記屋根フレームを山形の形状として前記屋根面全体を棟を有する両流れ形の屋根面としたことを特徴とする請求項１，２または３記載の建物施工用の仮設屋根。
【請求項５】
前記屋根フレーム間の要所に資材吊り込み用の開口部を確保し、該開口部には前記屋根フレームに案内されて前記屋根面に沿って移動することで該開口部を開閉する開閉シートを設けるとともに、該開閉シートを移動させて前記開口部を開閉するための駆動機構を備え、該駆動機構は、前記開閉シートの移動方向両側にそれぞれ連結されたワイヤーを介して該開閉シートを屋根フレームに沿って両方向にスライドさせるエンドレスウインチからなることを特徴とする請求項１，２，３または４記載の建物施工用の仮設屋根。
【請求項６】
前記開口部を当該建物の柱の設置位置の直上位置に設けて該開口部を通して柱材を吊り下ろし可能としたことを特徴とする請求項５記載の建物施工用の仮設屋根。
【発明の詳細な説明】
【０００１】
【発明の属する技術分野】
本発明は、建物施工に際してその上方を覆うように設ける仮設屋根、特に、クレーンによる資材搬送のための開口部を備えるとともに簡便安価な構成の仮設屋根に関する。
【０００２】
【従来の技術】
近年、建物施工を天候に左右されずに行うことを主たる目的として、施工途中の建物全体を覆うような大規模な仮設屋根を設けることが行われるようになってきている。そのような仮設屋根としては、設置や解体を容易にかつ安価に行い得るものであることはもとより、施工進捗に応じて順次上方へ盛替えることが可能であることが要求されるものである。そのため、この種の仮設屋根としては、汎用の建設資材であるパイプ材を用いて形成した軽量なトラスを屋根フレームとし、それに屋根材としてシートを取り付けた構成のものが一般的である。
【０００３】
【発明が解決しようとする課題】
ところで、従来一般の建物施工に際しては資材搬送をクレーンにより行うことが通常であるが、上記のような仮設屋根により建物全体を覆った場合にはクレーンによる建物上方からの資材搬送に支障を来すことになる。そのため、従来においてはクレーンによる資材搬送を行う範囲には仮設屋根を設けることなくその上方を開放しておかざるを得ず、その範囲では屋根を設ける利点が得られないものである。なお、上記のような仮設屋根の全体もしくは一部を開閉可能な可動屋根としてクレーンによる資材搬送を可能とすることも検討されているが、仮設屋根として過剰設備となることのない簡便安価な構成のものは未だ実現していないのが実状である。
【０００４】
上記事情に鑑み、本発明はクレーンによる資材搬送のための開口部を備えるとともに簡便安価な構成の仮設屋根を実現することを目的とする。
【０００５】
【課題を解決するための手段】
請求項１の発明は、建物施工に際して該建物を覆う仮設の屋根であって、前記建物の上方を跨ぐ屋根フレームを所定間隔をおいて複数架設してそれら屋根フレームに屋根面を形成するシートを取り付けるとともに、いずれかの屋根フレームを他の屋根フレームに離接する方向に移動可能な移動フレームとして該移動フレームを移動させることで資材吊り込み用の開口部を屋根フレーム間に確保するとともに、該開口部を覆うシートを前記移動フレームの移動により開閉可能な開閉シートとし、前記屋根面の下方にはトロリーをガイドレールにより支持して前記移動フレームの移動方向に走行させる構成の天井クレーンを設けて、前記移動フレームを該ガイドレールに移動可能に支持せしめるとともに前記トロリーを前記移動フレームに連結可能として、前記トロリーによって前記移動フレームを移動させることにより該トロリーを前記開口部を開閉するための駆動機構として機能せしめる構成としたものである。
【０００６】
請求項２の発明は、請求項１の発明において、前記移動フレームには前記開閉シートをランナーを介して畳み込み可能に吊り支持する支持レールを設け、該移動フレームを移動させて前記開口部を開いた際には前記ランナーが前記支持レールに案内されて移動して前記開閉シートが畳み込まれた状態で前記支持レールにより支持される構成としたものである。
【０００７】
請求項３の発明は、請求項１または２の発明において、前記移動フレームを前記建物の外周部に設けた養生体に対して連結固定可能としたものである。
【０００８】
請求項４の発明は、請求項１〜３の発明において、前記屋根フレームを山形の形状として前記屋根面全体を棟を有する両流れ形の屋根面としたものである。
【０００９】
請求項５の発明は、請求項１〜４の発明において、前記屋根フレーム間の要所に資材吊り込み用の開口部を確保し、該開口部には前記屋根フレームに案内されて前記屋根面に沿って移動することで該開口部を開閉する開閉シートを設けるとともに、該開閉シートを移動させて前記開口部を開閉するための駆動機構を備え、該駆動機構は、前記開閉シートの移動方向両側にそれぞれ連結されたワイヤーを介して該開閉シートを屋根フレームに沿って両方向にスライドさせるエンドレスウインチからなるものである。
【００１０】
請求項６の発明は、請求項５の発明において、前記開口部を当該建物の柱の設置位置の直上位置に設けて該開口部を通して柱材を吊り下ろし可能としたものである。
【００１２】
【発明の実施の形態】
図１〜図３は本発明の一実施形態である仮設屋根の全体概略構成を示すものである。この仮設屋根は施工対象の建物全体を覆うように設置されたもので、建物の周囲に設けられた仮設の養生体１の上部相互間に山形の屋根フレーム２を所定間隔をおいて平行に多数架設し、その上面全体に屋根材としてのシート３を取り付けたもので、全体として棟を有する両流れ形（切妻形）の屋根面が構成されている。
【００１３】
上記の屋根フレーム２および養生体１はいずれも汎用の建設資材であるパイプ材をトラス状に組んでなるもので、屋根フレーム２の両端部は養生体１の上部に連結されることでそれらは全体として強固なラーメン架構を構成している。
【００１４】
そして、この仮設屋根の要所には、図３に示すように建物へのクレーンによる資材搬送を可能とするための開閉可能な開口部Ａ，Ｂが確保されている。
【００１５】
開口部Ａはこの建物の柱の位置の直上位置に設けられていて、この開口部Ａを通して柱材４（図１、図４（ｂ）参照）を吊り下ろしてそのままそこに建て込むことができるようになっている。この開口部Ａは図２に示すように通常時は閉じられているが、柱材４の吊り込み作業の際には開閉シート５が上方に引き上げられて図３に示すように開口部Ａが開かれるようになっている。
【００１６】
また、開口部Ｂは大型資材を含む各種の一般資材を吊り下ろすために建物のほぼ中央位置に確保されており、この開口部Ｂは、図２および図３に示すように、移動フレーム６を移動させることで開口部Ｂを覆うシート３を開閉可能な開閉シート３ａとしてそれを展開かつ畳み込むことで開閉されるようになっている。移動フレーム６は上記の屋根フレーム２と同様に構成されたものであるが、この移動フレーム６は養生体１に対しては連結されておらず、その両端部が天井クレーン７のガイドレール８により支持されて桁行方向（すなわち隣接している他の屋根フレーム２と離接する方向）に移動可能とされている。
【００１７】
図４は開口部Ａまわりの構成例を示すものである。開口部Ａを開閉する開閉シート５の両側縁部は、屋根フレーム２に固定されているレール９に対してスリップ可能に保持されており、この開閉シート５の上部には縁材１０を介してワイヤー１１が連結され、開閉シート５の下部には２本のワイヤー１２，縁材１３、ワイヤー１４が連結され、それらワイヤー１１，１４は屋根フレーム２および養生体１に取り付けられたシーブ１５に案内され、養生体１に設置されているエンドレスウインチ（駆動機構）１６に連結されている。したがって、エンドレスウインチ１６によりワイヤー１１を引く方向に駆動すると開閉シート５が屋根面に沿って上方に引き上げられて図４（ｂ）に示すように開口部Ａが開放され、エンドレスウインチ１６を逆方向に駆動してワイヤー１４を引くと開閉シート５が引き下げられて開口部Ａを閉じるようになっている。なお、開口部Ａが開かれた際には開閉シート５は屋根面に固定されているシート３の下方に引き込まれるようになっている。また、開口部Ａを閉じた状態では開閉シート５の上端部がそのシート３の下方に重なりかつ下端部が屋根フレーム２の端部に固定的に取り付けられている端部シート３ｂの上部に重なり、これにより開閉シート５とシート３および端部シート３ｂとの間に隙間が生じることなく十分に水密保持が可能となっている。
【００１８】
図５および図６は開口部Ｂを開閉するための移動フレーム６の構成とその動作を示すものである。移動フレーム６はサドル２０を介して上記のガイドレール８により移動可能に支持されており、図６（ａ）に示す閉位置に配置されることで開口部Ｂの上方に開閉シート３ａを展開して開口部Ｂを閉じ、（ｂ）に示す開位置に配置されることで開閉シート３ａを畳み込んで開口部Ｂを開放するようになっている。
【００１９】
移動フレーム６には開閉シート３ａを支持するための支持レール２１が設けられている。支持レール２１としてはパイプ材が使用され、その支持レール２１にはランナー２２が移動可能に設けられ、そのランナー２２により開閉シート３ａが支持されるようになっている。したがって図６（ａ）に示すように移動フレーム６が閉位置にあるときには開閉シート３ａは開口部Ｂの上方に展開された状態で支持レール２１によりランナー２２を介して支持されているが、移動フレーム６が移動して開口部Ｂが開かれる際には支持レール２１も移動フレーム６とともに移動していき、それによりランナー２２が支持レール２１に案内されて移動して開閉シート３ａは自ずと畳み込まれて弛んだ状態で支持されることになる。なお、図７に示すように、開口部Ｂが閉じられたときには支持レール２１の基端部が屋根フレーム２に固定されているシート３上に所定寸法突出し、開閉シート３ａの縁部がそのシート３に重なり合って開口部Ｂを隙間なく塞ぐようになっている。
【００２０】
また、本実施形態では、移動フレーム６を移動させるための駆動機構として、上記天井クレーン７のトロリー２３が利用されるようになっている。すなわち、図８に示すように上記トロリー２３はサドル２０に連結可能とされ、開口部Ｂを開閉する際にはトロリー２３をサドル２０に連結してそれを走行させることで移動フレーム６を移動させることができるようになっている。図８における符号２４は移動フレーム６を閉位置と開位置の双方で停止させるためのストッパ、２５、２６は移動フレーム６とガイドレールの双方に設けられた連結片であり、それら連結片２５、２６を重ねてピンを挿通することで移動フレーム６を閉位置と開位置の双方で固定できるようになっている。
【００２１】
さらに、移動フレーム６は必要に応じて養生体１に対して固定することで他の屋根フレーム２と同様にラーメン架構を構成することも可能となっており、それにより強風時等の安全性を確保できるものとなっている。その場合、図６（ｃ）に示すように移動フレーム６を両側の屋根フレーム２，２の中間位置に配置することが好ましく、その際には支持レール２１が双方の屋根フレーム２，２に跨るように移動フレーム６に対して側方にずらし、その両端を屋根フレーム２，２に連結すれば良い。
【００２２】
なお、開口部Ｂを覆う開閉シート３ａや端部シート３ｂも含めて屋根面全体を形成しているシート３としては所定規格寸法のものを現場にて連結して用いるようにしており、それらシート３どうしの連結は図９に示されるように各シート３の縁部にワイヤー２７を巻き込んで縁取りを行い、その縁部を眼鏡形のジョイント材２８に係合させることで行うようになっている。また、それらシート３，３ａ，３ｂの屋根フレーム２や移動フレーム６に対する取り付けは図５、図７に示すようにそのジョイント材２８を屋根フレーム２や移動フレーム６に固定することで行うようにしている。また、上記のジョイント材２８は開口部Ａを開閉するための開閉シート５の縁部をスリップ可能に保持するレール９としても使用可能である。さらに、図２（ｂ）に示すように開閉シート３ａの下端縁部はリング２９およびワイヤー３０によって養生体１に対して係止されており、開閉シート３ａが畳み込まれた際のまくれ上がりが防止されるようになっている。
【００２３】
以上で説明した仮設屋根は、パイプ材からなる屋根フレーム２に屋根材としてのシート３を取り付けた構成であるから、その全体を軽量かつ安価なものとできることはもとより、要所に開口部Ａ，Ｂを設けたのでクレーンによる資材搬送を支障なく行うことが可能である。
【００２４】
特に、柱の設置位置の直上位置に開口部Ａを設けてその開口部Ａを通して柱材４を吊り下ろし可能とすることで、柱建方に際して柱材４の水平移動が不要であって極めて効率的な作業を行い得る。また、その開口部Ａの開閉操作はエンドレスウインチ１６を駆動して開閉シート５を屋根面に沿って移動させることのみで極めて簡単に行い得る。
【００２５】
また、柱建方用の開口部Ａに加えて、移動フレーム６を移動させることで大きな開口部Ｂを確保するようにしているので、大型資材を含む一般資材の搬送も支障なく実施できる。その開口部Ｂは移動フレーム６の移動により開閉シート３ａが畳み込まれた状態で開かれるのでその開閉操作も何等面倒ではないし、開閉シート３ａは支持レール２１により常に支持されるから、開閉シート３ａがばたついたり大きく垂れ下がることを防止できる。また、移動フレーム６の駆動機構として天井クレーン７のトロリー２３を利用しているので合理的であるし設備費削減を図る上で有利である。さらに、強風時等には必要に応じて移動フレーム６を養生体１に連結固定することにより安定性を確保することができる。
【００２６】
そして、上記実施形態の仮設屋根は、屋根フレーム２を山形として両流れ形の屋根面としたので、自ずと水勾配が確保できることはもとより、片流れ形とする場合に比較して左右のバランスに優れ、しかも高剛性が確保できて構造的に有利である。なお、屋根フレーム２および移動フレーム６が高ライズであるような場合には必要に応じて移動フレーム６の転倒防止を考慮すれば良く、そのためには、たとえば屋根フレーム２の棟の位置に油圧ジャッキを設置してそのロッドを移動フレーム６の頂部に連結し、移動フレーム６を移動させる際には油圧ジャッキを伸縮させることにより、常に移動フレーム６の頂部を保持してその転倒防止を図ることが考えられる。
【００２７】
以上で本発明の一実施形態を説明したが、本発明は上記実施形態に限定されることなく、たとえば以下に列挙するような種々の設計的変更を行い得るものである。
【００２８】
図１０は開口部Ａを開閉するための他の構成例を示すものである。この場合は開閉シート５を図４に示した構成例とは逆向きに設けるとともに端部シート３ｂを省略し、開閉シート５を養生体１の側面に沿って引き下げることで開口部Ａを開くように構成している。
【００２９】
図１１は開口部Ｂを開閉するための他の構成例を示す。上記実施形態では図６に示したように開口部Ｂを覆う開閉シート３ａを屋根フレーム２上に固定したシートに連結しておいてその開閉シート３ａを畳み込むことで開口部Ｂを開放するようにしたが、本例では開口部Ｂを覆うシート３１を他のシート３と連結することなく支持レール２１上に展開させた状態で固定し、（ａ）に示すように開口部Ｂを閉じている状態から（ｂ）に示すように移動フレーム６とともにシート３１を展開したまま側方に移動させることで開口部Ｂを開くようにしたものである。この場合も、強風時等には（ｃ）に示すように支持レール２１を移動フレーム６に対してずらしてその両端を屋根フレーム２，２に連結すれば良い。
【００３１】
上記実施形態では屋根フレーム２および移動フレーム６を山形として両流れ形の屋根面を形成するものとし、それにより安定で高剛性の仮設屋根を実現できる利点があるが、片流れ形の屋根面としたり、適正な水勾配を確保できる場合には陸屋根面とすることも不可能ではない。
【００３２】
開口部Ａ，Ｂの位置や寸法、設置数は仮設屋根の規模や形態に応じて最適設計すれば良いし、上記実施形態のように柱吊り込み用の開口部Ａと一般資材搬送用の開口部Ｂの双方を設ける必要がなければ開口部Ｂのみを設けることでも良い。
【００３３】
【発明の効果】
請求項１の発明は、移動フレームを移動させることで開口部を確保する構成であるので、大型資材を含む一般資材のクレーンによる搬送を支障なく実施できるし、その開口部の開閉操作は駆動機構により移動フレームを移動させることで容易に行うことができる。しかも、移動フレームの駆動機構として天井クレーンのトロリーを利用するので合理的であり、設備費削減を図る上で有利である。
【００３４】
請求項２の発明は、開閉シートを支持レールおよびランナーにより畳み込み可能な状態で支持するので、開閉シートがばたついたり大きく垂れ下がることを防止できる。
【００３５】
請求項３の発明は、強風時等には必要に応じて移動フレームを養生体に連結固定することにより安定性を確保することができる。
【００３６】
請求項４の発明は、屋根フレームを山形として両流れ形の屋根面としたので、自ずと水勾配が確保できることはもとより、片流れ形とする場合に比較して左右のバランスに優れ、しかも高剛性が確保できて構造的に有利である。
【００３７】
請求項５の発明は、屋根フレームに屋根材としてのシートを取り付けた構成であるから、その全体を軽量かつ安価なものとできることはもとより、移動フレームにより開閉する開口部とは別に屋根フレーム間の要所にも開口部を設けたので、クレーンによる資材搬送をより効率的に行うことが可能である。また、その開口部の開閉操作はエンドレスウインチからなる駆動機構により開閉シートを屋根面に沿って両方向にスライドさせることのみで容易に行うことができる。
【００３８】
請求項６の発明は、柱の設置位置の直上位置に開口部を設けてその開口部を通して柱材を吊り下ろし可能としたので、柱建方に際して柱材の水平移動が不要であって極めて効率的な作業を行い得る。
【図面の簡単な説明】
【図１】  本発明の一実施形態である仮設屋根の全体概略構成を示す正面図である。
【図２】  同仮設屋根における開口部が閉じられている状態を示す斜視図である。
【図３】  同仮設屋根における開口部が開かれている状態を示す斜視図である。
【図４】  同仮設屋根における要部を示す図である。
【図５】  同仮設屋根における要部を示す図である。
【図６】  同仮設屋根における移動フレームの動作を示す図である。
【図７】  同仮設屋根における開口部まわりの詳細図である。
【図８】  同仮設屋根における移動フレームの駆動機構を示す図である。
【図９】  同仮設屋根におけるジョイント材を示す図である。
【図１０】  本発明の仮設屋根の他の構成例を示す図である。
【図１１】  本発明の仮設屋根の他の構成例を示す図である。
【符号の説明】
Ａ，Ｂ  開口部
１  養生体
２  屋根フレーム
３  シート
３ａ  開閉シート
４  柱材
５  開閉シート
６  移動フレーム
７  天井クレーン
８  ガイドレール
１６  エンドレスウインチ（駆動機構）
２１  支持レール
２２  ランナー
２３  トロリー（駆動機構）
【図１】
0003706987.tif 000002
【図２】
0003706987.tif 000003
【図３】
0003706987.tif 000004
【図４】
0003706987.tif 000005
【図５】
0003706987.tif 000006
【図６】
0003706987.tif 000007
【図７】
0003706987.tif 000008
【図８】
0003706987.tif 000009
【図９】
0003706987.tif 000010
【図１０】
0003706987.tif 000011
【図１１】
0003706987.tif 000012